【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
画像を撮像する端末と接続可能な画像処理装置であって、
撮像された画像から抽出された特徴情報に対応付いている拡張情報と属性情報とを取得する取得手段と、
前記特徴情報が複数抽出された場合、前記属性情報に基づいて、複数の前記特徴情報に対応付いている複数の拡張情報を用いて新たな拡張情報を少なくとも１つ生成する処理手段と、
前記処理手段で生成された新たな拡張情報を前記端末に送信する送信手段と、
を備えることを特徴とする画像処理装置。
【請求項２】
前記特徴情報それぞれは、文書それぞれに関連付いており、前記取得手段では、前記特徴情報から前記文書の属性情報が取得されることを特徴とする請求項１記載の画像処理装置。
【請求項３】
前記属性情報は前記拡張情報に対応づいており、前記取得手段では、前記拡張情報に対応する前記属性情報を取得することを特徴とする請求項１または２記載の画像処理装置。
【請求項４】
前記属性情報の組み合わせに応じた前記新たな拡張情報の生成処理の定義情報を記憶する記憶手段を更に備え、前記処理手段では、前記定義情報を参照して処理をすることを特徴とする請求項１乃至３何れか１項に記載の画像処理装置。
【請求項５】
前記記憶手段には、前記端末で前記拡張情報に対する加工処理が指示された場合、該加工処理の指示を学習して作成した前記定義情報を記憶することを特徴とする請求項４記載の画像処理装置。
【請求項６】
前記記憶手段では、前記定義情報は構造化されたデータを用いて記憶することを特徴とする請求項４または５記載の画像処理装置。
【請求項７】
前記処理手段では、前記拡張情報の分類を示す前記属性情報に応じて絞り込んだ該分類の定義情報に基づいて、前記複数の拡張情報を用いて新たな拡張情報を少なくとも１つ生成することを特徴とする請求項４乃至６何れか１項に記載の画像処理装置。
【請求項８】
前記処理手段は、前記取得した複数の拡張情報を合成処理することを特徴とする請求項１乃至７何れか１項に記載の画像処理装置。
【請求項９】
前記処理手段は、前記取得した複数の拡張情報の差分情報を生成する処理をすることを特徴とする請求項１乃至７何れか１項に記載の画像処理装置。
【請求項１０】
前記処理手段は、前記取得した拡張情報の少なくとも１つを強調処理することを特徴とする請求項１乃至７何れか１項に記載の画像処理装置。
【請求項１１】
前記特徴情報は、マーカであることを特徴とする請求項１記載の画像処理装置。
【請求項１２】
前記特徴情報は、ＱＲコード（登録商標）であることを特徴とする請求項１記載の画像処理装置。
【請求項１３】
前記特徴情報は、画像特徴量であることを特徴とする請求項１記載の画像処理装置。
【請求項１４】
前記画像特徴量は、ＳＩＦＴ特徴量であることを特徴とする請求項１３記載の画像処理装置。
【請求項１５】
画像を撮像する端末と接続可能な画像処理装置であって、
撮像された画像から抽出された特徴情報に対応付いている拡張情報を取得する取得手段と、
前記特徴情報が複数抽出された場合、抽出されたそれぞれの位置の関係に基づいて、複数の前記特徴情報に対応付いている複数の拡張情報を用いて新たな拡張情報を少なくとも１つ生成する処理手段と、
前記処理手段で生成された新たな拡張情報を前記端末に送信する送信手段と、
を備えることを特徴とする画像処理装置。
【請求項１６】
前記位置の関係に応じた前記新たな拡張情報の生成処理の定義情報を記憶する記憶手段を更に備え、前記処理手段では、前記定義情報を参照して処理をすることを特徴とする請求項１５記載の画像処理装置。
【請求項１７】
前記記憶手段では、前記定義情報は構造化されたデータを用いて記憶することを特徴とする請求項１６記載の画像処理装置。
【請求項１８】
前記処理手段では、前記特徴情報が抽出されたそれぞれの位置の距離に応じて、前記取得した拡張情報を加工することを特徴とする請求項１５記載の画像処理装置。
【請求項１９】
前記特徴情報の傾きを判断する判断手段を更に備え、
前記処理手段では、前記判断手段で傾きがあると判断された特徴情報から取得した拡張情報は用いないことを特徴とする請求項１５記載の画像処理装置。
【請求項２０】
画像を撮像する端末と接続可能な画像処理装置の画像処理方法であって、
撮像された画像から抽出された特徴情報に対応付いている拡張情報と属性情報とを取得する取得工程と、
前記特徴情報が複数抽出された場合、前記属性情報に基づいて、複数の前記特徴情報に対応付いている複数の拡張情報を用いて新たな拡張情報を少なくとも１つ生成する処理工程と、
前記処理工程で生成された新たな拡張情報を前記端末に送信する送信工程と、
を備えることを特徴とする画像処理方法。
【請求項２１】
画像を撮像する端末と接続可能な画像処理装置の画像処理方法であって、
撮像された画像から抽出された特徴情報に対応付いている拡張情報を取得する取得工程と、
前記特徴情報が複数抽出された場合、抽出されたそれぞれの位置の関係に基づいて、複数の前記特徴情報に対応付いている複数の拡張情報を用いて新たな拡張情報を少なくとも１つ生成する処理工程と、
前記処理工程で生成された新たな拡張情報を前記端末に送信する送信工程と、
を備えることを特徴とする画像処理方法。
【請求項２２】
コンピュータを、
端末で撮像された画像から抽出された特徴情報に対応付いている拡張情報と属性情報とを取得する取得手段と、
前記特徴情報が複数抽出された場合、前記属性情報に基づいて、複数の前記特徴情報に対応付いている複数の拡張情報を用いて新たな拡張情報を少なくとも１つ生成する処理手段と、
前記処理手段で生成された新たな拡張情報を前記端末に送信する送信手段と、
として機能させるためのプログラム。
【請求項２３】
コンピュータを
端末で撮像された画像から抽出された特徴情報に対応付いている拡張情報を取得する取得手段と、
前記特徴情報が複数抽出された場合、抽出されたそれぞれの位置の関係に基づいて、複数の前記特徴情報に対応付いている複数の拡張情報を用いて新たな拡張情報を少なくとも１つ生成する処理手段と、
前記処理手段で生成された新たな拡張情報を前記端末に送信する送信手段と、
として機能させるためのプログラム。
【請求項２４】
画像を撮像する端末と前記端末が接続可能な画像処理装置とから構成される画像処理システムであって、
前記画像処理装置は、
撮像された画像から抽出された特徴情報に対応付いている拡張情報と属性情報とを取得する取得手段と、
前記特徴情報が複数抽出された場合、前記属性情報に基づいて、複数の前記特徴情報に対応付いている複数の拡張情報を用いて新たな拡張情報を少なくとも１つ生成する処理手段と、
前記処理手段で生成された新たな拡張情報を前記端末に送信する送信手段と、
を備え、
前記端末は、
画像を撮像する撮像手段と、
前記送信された拡張情報を表示する表示手段と、
を備えることを特徴とする画像処理システム。
【請求項２５】
画像を撮像する端末と前記端末が接続可能な画像処理装置とから構成される画像処理システムであって、
前記画像処理装置は、
撮像された画像から抽出された特徴情報に対応付いている拡張情報を取得する取得手段と、
前記特徴情報が複数抽出された場合、抽出されたそれぞれの位置の関係に基づいて、複数の前記特徴情報に対応付いている複数の拡張情報を用いて新たな拡張情報を少なくとも１つ生成する処理手段と、
前記処理手段で生成された新たな拡張情報を前記端末に送信する送信手段と、
を備え、
前記端末は、
画像を撮像する撮像手段と、
前記送信された拡張情報を表示する表示手段と、
を備えることを特徴とする画像処理システム。
【請求項２６】
前記撮像手段では、文書の画像を撮像することを特徴とする請求項２４または２５記載の画像処理システム。
【手続補正２】
【補正対象書類名】明細書
【補正対象項目名】０００９
【補正方法】変更
【補正の内容】
【０００９】
本発明に係る画像処理装置は以下の構成を備える。即ち、画像を撮像する端末と接続可能な画像処理装置であって、撮像された画像に対応付いている抽出された特徴情報から拡張情報と属性情報とを取得する取得手段と、前記特徴情報が複数抽出された場合、前記属性情報に基づいて、複数の前記特徴情報に対応付いている複数の拡張情報を用いて新たな拡張情報を少なくとも１つ生成する処理手段と、前記処理手段で生成された新たな拡張情報を前記端末に送信する送信手段。
【手続補正３】
【補正対象書類名】明細書
【補正対象項目名】００１０
【補正方法】変更
【補正の内容】
【００１０】
本発明に係る画像処理装置は以下の構成を備える。即ち、画像を撮像する端末と接続可能な画像処理装置であって、撮像された画像から抽出された特徴情報に対応付いている拡張情報を取得する取得手段と、前記特徴情報が複数抽出された場合、抽出されたそれぞれの位置の関係に基づいて、複数の前記特徴情報に対応付いている複数の拡張情報を用いて新たな拡張情報を少なくとも１つ生成する処理手段と、前記処理手段で生成された新たな拡張情報を前記端末に送信する送信手段。
【手続補正４】
【補正対象書類名】明細書
【補正対象項目名】００４７
【補正方法】変更
【補正の内容】
【００４７】
コンテンツ取得部１１７によって、識別情報に対応付けられたコンテンツを取得する。つぎに、認識部１１６で認識した識別情報の位置関係を、特徴情報を抽出した位置を用いて、位置関係算出部９０１で算出する。ここで、サーバ１０９は、識別情報の位置関係に応じたコンテンツの処理方法を定義するルール記憶部１２０を保持している。ルール記憶部１２０に記憶されたルールに従い、コンテンツ処理方法判定部１１９で処理方法を判定し、コンテンツ処理部１２１を用いて加工処理をおこなう。ここで処理されたコンテンツを、ＡＲ端末１０１へ送信する。ＡＲ端末１０１は、サーバ１０９から受信したＡＲコンテンツをコンテンツ再生部１２２で、表示部１０７に表示する。
【手続補正５】
【補正対象書類名】明細書
【補正対象項目名】００５６
【補正方法】変更
【補正の内容】
【００５６】
図１４は、本実施形態における撮影部１１５〜コンテンツ再生部１２２の処理を示すフローチャートである。まず、ステップＳ１４０１で、撮影部１０５を用いて現実空間を撮影する。つづいて、ステップＳ１４０２では、認識部１１６により、ステップＳ１４０１で撮影した撮像結果を用いて、ＡＲコンテンツを識別するための識別情報を認識する。また、認識部１１６は、ＡＲ端末１０１側、サーバ１０９側のどちらにあってもよい。前述のＳＩＦＴ特徴量、専用のマーカから得られる特徴情報を、ＡＲコンテンツを識別するための識別情報に用いる。
【手続補正６】
【補正対象書類名】明細書
【補正対象項目名】００５７
【補正方法】変更
【補正の内容】
【００５７】
ステップＳ１４０３は、ステップＳ１４０２で認識した識別情報に対応付けられたＡＲコンテンツをコンテンツ取得部１１７で取得する。本ステップでは、図３に示すデータ３０２を参照して、識別情報からＡＲコンテンツを取得する。ステップＳ１４０４では、ステップＳ１４０２で認識した識別情報の位置関係を位置関係算出部９０１で算出する。位置関係としてはたとえば、２つの識別情報の並び方向、距離、重なりの有無、傾きを算出することができる。
【手続補正７】
【補正対象書類名】明細書
【補正対象項目名】００５８
【補正方法】変更
【補正の内容】
【００５８】
ステップＳ１４０５では、ステップＳ１４０２において２つ以上の識別情報が認識されたか否かを判定する。識別情報が１つしか認識されなかった場合には、ステップＳ１４０８へ進みステップＳ１４０３で取得したＡＲコンテンツをそのまま再生する。一方、識別情報が２つ以上認識された場合には、ステップＳ１４０６へ進み、ステップＳ１４０３で取得したＡＲコンテンツを処理する方法をコンテンツ処理方法判別部１１９で判別する。本ステップの処理の詳細については、別途図８で説明したものと同一である。ステップＳ１４０７では、ステップＳ１４０６で判別した処理をＡＲコンテンツに対して施す。最後に、ステップＳ１４０８で、ステップＳ１４０７で処理したＡＲコンテンツを再生する。  
【手続補正８】
【補正対象書類名】図面
【補正対象項目名】図１
【補正方法】変更
【補正の内容】
【図１】
2014106692.tif 000001
【手続補正９】
【補正対象書類名】図面
【補正対象項目名】図６
【補正方法】変更
【補正の内容】
【図６】
2014106692.tif 000002
【手続補正１０】
【補正対象書類名】図面
【補正対象項目名】図９
【補正方法】変更
【補正の内容】
【図９】
2014106692.tif 000003